(57)【特許請求の範囲】
【請求項１】
パチンコ遊技機の遊技盤を備える遊技機本体が被着される矩形外枠を、アルミ鋳造品からなり、上下端に内方へ突出する連結リブを突成してなる左右の縦枠杆と、縦枠杆対の上下端に差し渡されて、両端を夫々連結リブに固結される上下の横枠杆とで構成すると共に、
下部の横枠杆の端部と、縦枠杆の下端部のいずれかに連成され、水平面又は、パチンコ遊技機の主面と直交する縦断面と平行な面で、横枠杆の縦断方向または縦枠杆の横断方向に沿った主断面積よりも広い補強接合面を確保する補強部を介して、該横枠杆の端部と、縦枠杆の下端とを連結したことを特徴とするパチンコ遊技機。
【請求項２】
縦枠杆の下端部に内方突出する二片の平行な板状連結リブを形成し、下部の横枠杆の両端部に、上下面を補強接合面とし、板状連結リブ間に内嵌して両補強接合面が板状連結リブに固結される隆状補強部を形成したことを特徴とする請求項１記載のパチンコ遊技機。
【請求項３】
横枠杆の、補強部と主杆部間のコーナーに補強リブが形成されていることを特徴とする請求項１または請求項２記載のパチンコ遊技機。
【請求項４】
横枠杆が合成樹脂製である請求項１乃至請求項３のいずれかに記載のパチンコ遊技機。
【発明の詳細な説明】
【０００１】
【発明の属する技術分野】
本発明は、パチンコ遊技機の枠構造に関するものである。
【０００２】
【従来の技術】
パチンコ遊技機は、図１，２で示すように、下部に受皿６，発射ハンドル７等の部材を、前枠３に保持した遊技機本体２を、外枠１に前方から取付け、本体２の裏面に装備した種々の機構を外枠１で囲繞して構成される。
かかる構成にあって、従来の外枠ａは、図９で示すように、ラワンやベニヤ等の木材からなり、左右の木製縦枠杆ｂ，ｂと、上下の木製横枠杆ｃ，ｃとを上部コーナーにてＬ形金具ｄ，ｄ’を用いて、釘打ちにより固定し、下部コーナにて、その内側で、直角三角形の補強部材ｅ，ｅを固着して組み付けられる。さらに、一方の縦枠杆ｂの内面には、遊技機本体２に装着された可動フック９，９（図５参照）が係止される金属製のＬ形係止突片ｆ、ｆを固着し、その係合作用により、外枠ａに対して遊技機本体２を連結するようにしている。また、該外枠ａの一側の上部角に固着されたＬ形金具ｄ’には、前方へヒンジ部ｇが突成され、その軸孔ｈに通した連係軸により遊技機本体２を開閉可能に支持するようにしている。この外枠ａは、上下の横枠杆ｃ，ｃが木材であるから、遊技場内で釘打ちにより設置島に組み付けられる。
【０００３】
【発明が解決しようとする課題】
かかる従来構成にあっては、外枠ａを縦枠杆ｂ，ｂ及び横枠杆ｃ，ｃをコーナーでＬ形金具ｄ，ｄ’、及び補強部材ｅ，ｅを釘打ちして連結される。このため、その組み付けが面倒であり、しかも、昨今の遊技機本体２は、各種の駆動部材を装架することとなって、大重量化しつつあり、このため強度の向上が求められている。
本発明は、組み付け容易で、堅牢な矩形外枠を提供することを目的とするものである。
【０００４】
【課題を解決するための手段】
本発明は、パチンコ遊技機の遊技盤を備える遊技機本体が被着される矩形外枠を、アルミ鋳造品（アルミダイキャスト）からなり、上下端に内方へ突出する連結リブを突成してなる左右の縦枠杆と、縦枠杆対の上下端に差し渡されて、両端を夫々連結リブに固結される上下の横枠杆とで構成すると共に、縦枠杆対の上下の各端部間で横方向に夫々差し渡されて、両端部を夫々縦枠杆の端部に固結される上下の横枠杆とで構成すると共に、下部の横枠杆の端部と、縦枠杆の下端部のいずれかに連成され、ｘ−ｙ面、ｘ−ｚ面またはその角度間で、横枠杆の縦断方向または縦枠杆の横断方向に沿った主断面積よりも広い補強接合面を確保する補強部を介して、該横枠杆の端部と、縦枠杆の下端とを連結したことを特徴とするものである。ここでｘ−ｙ面とは、水平面をいい、ｘ−ｚ面とは、パチンコ遊技機の主面と直交する縦断面と平行な面をいい（図３参照）、その角度間とは、ｘ−ｙ面とｘ−ｚ面とが交わる交線を通る傾斜面を含むとの意味である。
【０００５】
かかる構成にあって、縦枠杆と横枠杆間のコーナーを、アルミ鋳造品からなる縦枠杆に一体的に形成した連結リブにより構成し、該連結リブに横枠杆を連結することにより組み付けるようにしたものである。このため、充分な組み付け強度を保持することができる。また、かかる強度保証により、従来構成のようにＬ形金具ｄ，ｄ’や直角三角形の補強部材を用いる必要もない。さらにはかかる構成にあって、補強接合面を確保する補強部により、上述の面での接合が確保されているから、横枠杆と縦枠杆との相対的近接方向に対する抗力が高まり、連結強度が向上する。
【０００６】
ここで、かかる構成の一例としては、縦枠杆の下端に形成される連結リブを、内方突出する二片の平行な板状とし、下部の横枠杆の端部に、板状連結リブ間に内嵌して、上下面が該板状連結リブと固結される主杆部から立ち上がる隆状の補強部を形成するようにした構成が提案される。かかる構成にあっては、板状連結リブが固結する補強部の上下の固定面（ｘ−ｙ面）に補強接合面が確保され、かつ板状連結リブ間の内奥面（ｘ−ｚ面）にも補強接合面が確保され、広い補強接合面を確保することができる。このため、縦枠杆と、下部の横枠杆間の保持強度が向上して、側方からの力により、縦枠杆と下部の横枠杆間に大きなモーメントが加わっても、矩形外枠が変形することはない。
【０００７】
また、補強部内側と、主杆部とのコーナーに補強リブを形成しても良く、この場合には、補強部が内側へのモーメントの力を受けたとしても、補強部が挫屈することはない。
【０００８】
ここで横枠杆は合成樹脂製とし、これにより外枠の大重量化を抑止することができる。特に、合成樹脂による型成形によって補強部を形成するのが容易となる。
【０００９】
【発明の実施の形態】
添付図面について本発明の一実施例を説明する。
図１〜３にあって、パチンコ遊技機１は、遊技機本体２を、矩形外枠１０に被着してなり、ヒンジにより外枠１０に対して遊技機本体２を開閉可能とし、遊技機本体２の背部の各機器の保守管理を容易とするようにしている。また遊技機本体２の前面枠３の遊技窓孔内には遊技盤５が配設され、かつ前面枠３の下部には、玉受皿６や、発射ハンドル７等が設けられている。
【００１０】
このように矩形外枠１０は、パチンコ遊技機１の遊技盤５を備える遊技機本体２が被着されるものであって、本発明の要部に係る。この矩形外枠１０の第１実施形態の構成を図３，４に従って説明する。
矩形外枠１０は、左右の縦枠杆１１ａ，１１ｂと上下の横枠杆２０，３０とを組み付けて構成される。ここで、縦枠杆１１ａ，１１ｂはアルミ鋳造品（アルミダイキャスト）からなり、上端には内方へ突出する連結リブ１２，１２を連成している。この連結リブ１２，１２は、断面ロ字状の扁平管形状を呈しており、その側面には連結孔１３，１３が形成される。さらに、下端には、上下一対の板状連結リブ１９ａ，１９ｂが、平行に内方突出しており、該連結リブ１９ａ，１９ｂ間を嵌着凹部３８としている。この連結リブ１９ａ，１９ｂには複数の固定孔３９ａが形成されている。
【００１１】
また、縦枠杆１１ａ，１１ｂの内面は、厚み寸法を、従来の木枠の寸法と同じとし、かつ、その実質肉厚を、均一かつ薄く保つために、成形溝面１４が形成され、かつその強度を保つために横及び斜め方向の補強リブ１５を形成している。さらに、一方の縦枠杆１１ａには、遊技機本体２を開閉自在に枢支するために軸孔１７を備えたヒンジ部１６が突成されている。さらに、縦枠杆１１ａ，１１ｂの内面には、遊技機本体２を連係する係止突片１８が内方へ突成されている。
【００１２】
一方、上下の横枠杆２０，３０は、いずれも合成樹脂材料からなる。ここで、上部の横枠杆２０は、その両端に連結リブ１２，１２に内嵌する嵌入突部２１，２１が突成されている。この嵌入突部２１，２１の側部には、連結リブ１２，１２の連結孔１３，１３から固定螺子が螺合する螺子孔２２，２２が形成されている。また、左右位置で設置島に組み付けるための取付孔２３，２３が長手方向に沿って形成されている。そして、この横枠杆２０は、その両端に形成した嵌入突部２１，２１を、各縦枠杆１１ａ，１１ｂの連結リブ１２，１２に内嵌し、連結孔１３，１３から取付螺子を螺子孔２２，２２へ螺合することにより、縦枠杆１１ａ，１１ｂの上端間に差し渡される。
【００１３】
さらに下部の横枠杆３０は、その両端部に、主杆部３１から立ち上がる隆状の補強部３２，３２を備える。この補強部３２，３２は、内空とした箱状をなし、上下に固定孔３９ａと一致する固定孔３９ｂを備える平行な上面３３ａ及び下面３３ｂを備え、前端に垂直の先端面３４を備える。また、この上面３３ａ及び下面３３ｂ間の落差は嵌着凹部３８と一致させている。さらに補強部３２，３２の内側と、主杆部３１間のコーナーには、表裏で側縁を傾斜させた補強リブ３６，３６が形成されている。この補強リブ３６，３６間で、補強部３２，３２の内空が内方へ開放されている。また主杆部３１には、横枠杆２０と同様に、設置島に組み付けるための釘孔３７，３７が長手方向に沿って形成されている。
【００１４】
そして、該補強部３２，３２を板状連結リブ１９ａ，１９ｂ間の嵌着凹部３８に内嵌して、先端面３４を嵌着凹部３８の内奥面に面接触させ、固定孔３９ａ，３９ｂにより上下面３２，３３を該板状連結リブ１９ａ，１９ｂと固結する。而して、この横枠杆３０は、縦枠杆１１ａ，１１ｂの下端間に差し渡される。
【００１５】
ここで、かかる構成にあって、補強部３２，３２の上下面３３ａ，３３ｂに、板状連結リブ１９ａ，１９ｂを固結するものであり、先端面３４と嵌着凹部３８の内奥面との接触面に、補強部３２，３２の高さに相当する広い大きな補強接合面ｆ1（ｘ−ｚ面）を生じさせている。さらには、上下面３３ａ，３３ｂも補強接合面ｆ2（ｘ−ｙ面）となる。このため、広い補強接合面を確保することができ、縦枠杆１１ａ，１１ｂと、下部の横枠杆３０間の保持強度が向上して、側方からの力により、縦枠杆と下部の横枠杆１１ａ，１１ｂ間に大きなモーメントが加わっても、各補強接合面ｆにより矩形外枠が１０変形することはない。ここで下面３３ｂは、連結リブ１９ｂの肉厚に相当する段面形状とし、主杆部３１の下面と、連結リブ１９ｂの下面とを面一状としている。
【００１６】
また、補強部３２，３２内側と、主杆部３１とのコーナーに補強リブ３６，３６を形成したから、さらに強度が高くなり、補強部３２，３２が内側へのモーメントの力を受けたとしても、補強部３２，３２が挫屈することはない。
【００１７】
そしてこの組み付け状態で、縦枠杆１１ａに形成したヒンジ部１６の軸孔１７に挿通した連係軸により遊技機本体２を開閉可能に支持し、さらに図５で示すように、遊技機本体２に設けられた可動フック９を係止突片１８に係合する。これにより、矩形外枠１０の前部に遊技機本体２が装着され、かつ遊技盤面５の裏面に設けられた、各種の部材が矩形外枠１０内に臨むこととなる。
【００１８】
そしてかかる構成にあって、上下の横枠杆２０，３０を、各縦枠杆１１ａ，１１ｂの上下端に差し渡して夫々固結することにより、矩形外枠１０が組み付けられる。
【００１９】
ここで横枠杆２０，３０は、合成樹脂成形体により形成されるから、取付孔２３，２３、補強部３２，３２などの成形を容易に行うことができる。また、合成樹脂材料を用いたことにより、矩形外枠１０全体を軽量とすることができる。
【００２０】
このように矩形外枠１０は連結リブ１２，１９ａ，１９ｂにより横枠杆２０，３０を連結するものであるから、金具などの別部材を要せず．部品点数が少なくなって、矩形外枠１０の低廉化を可能とすると共に、組付けが容易となる。
【００２１】
そして、このように組み付けられた矩形外枠１０は、横枠杆２０，３０に形成された各取付孔２３，３７を利用して、設置島に並設されることとなる。
【００２２】
次に上述の第１実施形態の変形例を図６で示す。
この構成にあっては、アルミ製縦枠杆１１ａ，１１ｂの下部の連結リブ１９ｂを省略し、上部の連結リブ１９ａから側壁部４０，４０をアルミ製縦枠杆１１ａ，１１ｂの下端まで連成し、さらに、前記補強部３２，３２の前端部でその両側に側壁部４０の厚さに相当する段溝４１，４１を形成する。そして、補強部３２，３２の前部を側壁部４０，４０間に挿入し、その側面からビス固定する。かかる構成にあっては、補強部３２，３２の高さに相当する広い大きな補強接合面ｆ1と、上面３３ａと連結リブ１９ａとの面接触による補強接合面ｆとを生ずると共に、側壁部４０，４０と補強部３２，３２との側方からのビス留めにより、接合強度がさらに向上する。
【００２３】
次に本発明の他の構成を図７，図８に従って説明する。
ここで、図７は第２実施形態を示し、アルミ製縦枠杆１１ａ，１１ｂの下端に、それ自体が補強部となる連結リブ５０を形成し、横枠杆３０を整一な長尺板状としたものである。ここで、連結リブ５０は、開口を上方とする断面コ字形とし、その側部５１，５１を直角三角状とし、その底部５２の底面（ｘ−ｙ面）を補強接合面ｆ2としている。この底部５２は、縦枠杆１１ａ，１１ｂの下端よりも、横枠杆３０の厚さ相当分だけ上部にあって、その下方に横枠杆３０の連結段を形成している。そして、該連結段に横枠杆３０の端部を位置決めして、底部５２から横枠杆３０の端部にビス固定する。これにより、底部５２と横枠杆３０との接触面に補強接合面ｆが確保されて、その接続強度が向上する。
【００２４】
図８は第２実施形態の変形例であり、連結リブ５０’の側部５１’，５１’を縦枠杆１１ａ，１１ｂの下端まで延成し、かつ横枠杆３０の両側に側部５１’，５１’の下端が嵌入する溝縁５３，５３を形成したものである。そして、側部５１’，５１’から横枠杆３０の両側へビス固定する。かかる構成にあっては、底部５２と横枠杆３０との接触面に補強接合面ｆが確保されるとともに、側部５１’，５１’がビス固定され、このため、該補強接合面ｆが直接固定されていなくとも、所要の保持強度を確保することができる。
【００２５】
かかる各構成の矩形外枠１０にあって、縦枠杆１１ａ，１１ｂはアルミ鋳造品（アルミダイキャスト）により形成されているため、剛性が強い。しかも、縦枠杆１１ａ，１１ｂと横枠杆２０，３０とは、縦枠杆１１ａ，１１ｂに一体形成した連結リブにより連結されると共に、特に重量がかかる縦枠杆１１ａ，１１ｂと横枠杆３０の連結を、ｘ−ｙ面、ｘ−ｚ面で、横枠杆または縦枠杆の主断面積よりも広い補強接合面ｆ1，ｆ2を確保する補強部を介して連結したから、その強度はさらに向上することとなる。
【００２６】
【発明の効果】
本発明は、上述したように、遊技機本体が被着される矩形外枠を、アルミ鋳造品（アルミダイキャスト）からなり、上下端に内方へ突出する連結リブを突成してなる左右の縦枠杆と、上下の連結リブ間に差し渡されて、両端を夫々連結リブに固結される上下の横枠杆とで構成し、アルミ鋳造品（アルミダイキャスト）で縦枠杆に一体的に形成した連結リブを介して横枠杆を連結することにより、充分な組み付け強度を保持することができる。
【００２７】
また下部の横枠杆の端部と、縦枠杆の下端部のいずれかに連成され、ｘ−ｙ面、ｘ−ｚ面またはその角度間で、横枠杆または縦枠杆の主断面積よりも広い補強接合面を確保する補強部を介して、該横枠杆の端部と、縦枠杆の下端とを連結したから、補強接合面を確保する補強部により、上述の面での接合が確保され、横枠杆と縦枠杆との相対的近接方向に対する抗力が高まり、連結強度が向上する。このため、側方からの力により、縦枠杆と下部の横枠杆間に大きなモーメントが加わっても、矩形外枠が変形することはない。
【００２８】
さらにまた、縦枠杆の下端に、内方突出する二片の平行な板状連結リブを設け、下部の横枠杆の端部に、板状連結リブ間に内嵌して、上下面が該板状連結リブと固結される主杆部から立ち上がる補強部を形成した構成にあっては、板状連結リブが固結する補強部の上下の固定面に補強接合面が確保され、かつ板状連結リブ間の内奥にも補強接合面が確保され、このため、縦枠杆と、下部の横枠杆間の保持強度が著しく向上する。
【００２９】
ここで、補強部内側と、主杆部とのコーナーに補強リブを形成した場合には、補強部が内側へのモーメントの力を受けたとしても、補強部が挫屈することはない。
【００３０】
ここで、横枠杆は合成樹脂製とした場合には、外枠の大重量化を抑止することができ、かつ補強部等の形成が容易となる。
【図面の簡単な説明】
【図１】  本発明に係るパチンコ遊技機の正面図である。
【図２】  本発明に係るパチンコ遊技機の側面図である。
【図３】  本発明の第１実施形態に係る矩形外枠１０の分離斜視図である。
【図４】  第１実施形態に係る矩形外枠１０の組み付け状態を示す斜視図である。
【図５】  第１実施形態に係る遊技機本体２の被着状態を示す要部の拡大斜視図である。
【図６】  第１実施形態の変形例を示す要部の斜視図である。
【図７】  第２実施形態に係る遊技機本体２の被着状態を示す要部の拡大斜視図である。
【図８】  第２実施形態の変形例を示す要部の斜視図である。
【図９】  従来構成の外枠の斜視図である。
【符号の説明】
２  遊技機本体
１０  矩形外枠
１１ａ，１１ｂ  縦枠杆
１２  連結リブ
１９ａ，１９ｂ  連結リブ
２０，３０  横枠杆
３１  主杆部
３２  補強部
３３ａ  上面
３３ｂ  下面
３４  先端面
３７  嵌着凹部
３６  補強リブ
５０，５０’連結リブ
ｆ1，ｆ2  補強接合面
【図１】
0003762273.tif 000002
【図２】
0003762273.tif 000003
【図３】
0003762273.tif 000004
【図４】
0003762273.tif 000005
【図５】
0003762273.tif 000006
【図６】
0003762273.tif 000007
【図７】
0003762273.tif 000008
【図８】
0003762273.tif 000009
【図９】
0003762273.tif 000010